(57)【要約】【課題】映像コンテンツの視聴を邪魔することなく、その視聴者に、映像コンテンツとは別の情報を提供できるようにする。【解決手段】白色LED光源LCDプロジェクタ１１は、LED２５を光源として、圧縮映像伸張部２３からの映像コンテンツをLCD２６に表示させることで、その映像コンテンツをスクリーン１２に投影する。その映像コンテンツに重畳された送信情報はネットワーク受信部２１で受信され、信号分離部２２で分離されて信号変調部２４に与えられる。信号変調部２４は、この送信情報を所定の変調方式に従ってパルス信号に変調し、このパルス信号に従ってLED２５の高速点滅を制御する。この場合、受信装置１３は、スクリーン１２上に映像コンテンツを形成させている光、即ち、白色LED２５からの高速点滅光を受信して復調することで、送信情報を取得する。本発明は、プロジェクタに適用可能である。【選択図】図１
2008160238.tif 000002
【特許請求の範囲】
【請求項１】
光源を必要とする映像素子と、
前記映像素子に形成させる映像コンテンツを出力する映像出力機器と、
前記映像素子の光源としてのLED（Light Emitting Diode）と、
前記映像コンテンツとは異なる情報を送信情報として取得し、その送信情報に基づいて前記LEDの点滅を制御することで、前記映像素子に前記映像コンテンツを形成させている光を受光する受光機器に対して、前記送信情報を送信する送信制御機器と
を備える情報処理装置。
【請求項２】
前記送信情報は、前記映像コンテンツに関連する情報である
請求項１に記載の情報処理装置。
【請求項３】
前記情報処理装置は、前記映像コンテンツをスクリーンに投影するプロジェクタであり、
前記受光機器は、前記スクリーンに前記映像コンテンツを形成させている光を受光することで、前記送信情報を受信する
請求項１に記載の情報処理装置。
【請求項４】
前記送信情報を構成する送信データは、前記映像コンテンツを構成する映像データに重畳されて前記情報処理装置に与えられ、
前記情報処理装置は、
前記送信データが重畳された前記映像データを取得する取得機器と、
前記取得機器に取得された前記送信データが重畳された前記映像データから、前記送信データと前記映像データとを分離し、前記送信データを前記送信制御機器に提供し、前記映像データを前記映像出力機器に提供する分離機器と
をさらに備え、
前記映像出力機器は、前記分離機器から提供された前記映像データを、前記映像素子に適合する形態の信号に変換して出力し、
前記送信制御機器は、前記分離機器から提供された前記送信データを、所定の変調方式に従ってパルス信号に変調し、このパルス信号に従って前記LEDの点滅を制御する
請求項１に記載の情報処理装置。
【請求項５】
光源を必要とする映像素子と、
前記映像素子に形成させる映像コンテンツを出力する映像出力機器と、
前記映像素子の光源としてのLED（Light Emitting Diode）と
を備える情報処理装置の情報処理方法において、
前記映像コンテンツとは異なる情報を送信情報として取得し、その送信情報に基づいて前記LEDの点滅を制御することで、前記映像素子に前記映像コンテンツを形成させている光を受光する受光機器に対して、前記送信情報を送信する
ステップを含む情報処理方法。
【発明の詳細な説明】
【技術分野】
【０００１】
本発明は、情報処理装置および方法に関し、特に映像コンテンツの視聴を邪魔することなく、その視聴者に、映像コンテンツとは別の情報を提供できるようになった、情報処理装置および方法に関する。
【背景技術】
【０００２】
近年、映像表示技術の発展に伴い、一般家庭等でもプロジェクタ（例えば特許文献１）が使用されるようになり、いわゆるホームシアターが実現されるようになっている。
【０００３】
一方、近年、映像配信技術の発展に伴い、地上波放送や衛星放送だけでなく「IPテレビ」と呼ばれるIPプロトコル（Internet Protocol）を通信手段に用いた放送、即ちいわゆるインターネット放送が普及しつつある。
【０００４】
そこで、ユーザは、インターネット放送により配信された映像コンテンツを、プロジェクタからスクリーン等に投影させることで、その映像コンテンツを視聴できるようになっている。
【０００５】
このようなインターネットを使用した映像配信の場合、地上波放送や衛星放送に比べて映像配信の帯域や情報の重畳に対して自由度が極めて高いため、番組等のメインの映像コンテンツに対して、データ情報等を重畳することに対して柔軟に対応ができる。放送法に規制されないためである。
【特許文献１】特開平05-260423号公報
【発明の開示】
【発明が解決しようとする課題】
【０００６】
しかしながら、視聴者は、このようなデータ情報等を得ようとすると、メインの映像コンテンツの視聴時とは別の時に単独でデータ情報等を得るか、または、メインの映像コンテンツの画像表示を加工した上でデータ情報等を得る必要があった。ここで、メインの映像コンテンツの画像表示の加工とは、例えば、メインの映像コンテンツの上にデータ情報等を画像として合成した合成画像を生成したり、或いは、メインの映像コンテンツを縮小して、その縮小画像とデータ情報等の画像とを並べた合成画像を生成する等のことをいう。
【０００７】
このように、メインの映像コンテンツの視聴を邪魔することなく、その視聴者に、映像コンテンツとは別の情報（データ情報等）を提供することは困難な状況である。
【０００８】
本発明は、このような状況に鑑みてなされたものであり、映像コンテンツの視聴を邪魔することなく、その視聴者に、映像コンテンツとは別の情報を提供できるようにするものである。
【課題を解決するための手段】
【０００９】
本発明の一側面の情報処理装置は、光源を必要とする映像素子と、前記映像素子に形成させる映像コンテンツを出力する映像出力機器と、前記映像素子の光源としてのLED（Light Emitting Diode）と、前記映像コンテンツとは異なる情報を送信情報として取得し、その送信情報に基づいて前記LEDの点滅を制御することで、前記映像素子に前記映像コンテンツを形成させている光を受光する受光機器に対して、前記送信情報を送信する送信制御機器とを備える。
【００１０】
前記送信情報は、前記映像コンテンツに関連する情報である。
【００１１】
前記情報処理装置は、前記映像コンテンツをスクリーンに投影するプロジェクタであり、前記受光機器は、前記スクリーンに前記映像コンテンツを形成させている光を受光することで、前記送信情報を受信する。
【００１２】
前記送信情報を構成する送信データは、前記映像コンテンツを構成する映像データに重畳されて前記情報処理装置に与えられ、前記情報処理装置は、前記送信データが重畳された前記映像データを取得する取得機器と、前記取得機器に取得された前記送信データが重畳された前記映像データから、前記送信データと前記映像データとを分離し、前記送信データを前記送信制御機器に提供し、前記映像データを前記映像出力機器に提供する分離機器とをさらに備え、前記映像出力機器は、前記分離機器から提供された前記映像データを、前記映像素子に適合する形態の信号に変換して出力し、前記送信制御機器は、前記分離機器から提供された前記送信データを、所定の変調方式に従ってパルス信号に変調し、このパルス信号に従って前記LEDの点滅を制御する。
【００１３】
本発明の一側面の情報処理方法は、上述した本発明の一側面の情報処理装置に対応する方法である。
【００１４】
本発明の一側面の情報処理装置および方法においては、光源を必要とする映像素子と、前記映像素子に形成させる映像コンテンツを出力する映像出力機器と、前記映像素子の光源としてのLED（Light Emitting Diode）とを備える情報処理装置において、次のような処理が実行される。即ち、前記映像コンテンツとは異なる情報が送信情報として取得され、その送信情報に基づいて前記LEDの点滅が制御されることで、前記映像素子に前記映像コンテンツを形成させている光を受光する受光機器に対して、前記送信情報が送信される。
【発明の効果】
【００１５】
以上のごとく、本発明によれば、映画等の映像コンテンツとは別の情報を提供できる。特に、映像コンテンツの視聴を邪魔することなく、それとは別の情報を送信情報として、映像コンテンツを視聴中の視聴者に送信できるようになる。
【発明を実施するための最良の形態】
【００１６】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１７】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００１８】
本発明の一側面の情報処理装置（例えば図１の白色LED光源LCDプロジェクタ１１）は、
光源を必要とする映像素子（例えば図１のLCD２６）と、
前記映像素子に形成させる映像コンテンツを出力する映像出力機器（例えば図１の圧縮映像伸張部２３）と、
前記映像素子の光源としてのLED（Light Emitting Diode）（例えば図１の白色LED２５）と、
前記映像コンテンツとは異なる情報を送信情報として取得し、その送信情報に基づいて前記LEDの点滅を制御することで、前記映像素子に前記映像コンテンツを形成させている光を受光する受光機器（例えば図１の受信装置１３）に対して、前記送信情報を送信する送信制御機器（例えば図１の信号変調部２４）と
を備える。
【００１９】
前記情報処理装置は、前記映像コンテンツをスクリーン（例えば図１のスクリーン１２）に投影するプロジェクタであり、
前記受光機器は、前記スクリーンに前記映像コンテンツを形成させている光を受光することで、前記送信情報を受信する。
【００２０】
前記送信情報を構成する送信データは、前記映像コンテンツを構成する映像データに重畳されて前記情報処理装置に与えられ（例えば図１の例では、いわゆるインターネット放送の形態でEthernet（登録商標）３１経由で与えられ）、
前記情報処理装置は、
前記送信データが重畳された前記映像データを取得する取得機器（例えば図１のネットワーク受信部２１）と、
前記取得機器に取得された前記送信データが重畳された前記映像データから、前記送信データと前記映像データとを分離し、前記送信データを前記送信制御機器に提供し、前記映像データを前記映像出力機器に提供する分離機器（例えば図１の信号分離部２２）と
をさらに備え、
前記映像出力機器は、前記分離機器から提供された前記映像データを、前記映像素子に適合する形態の信号に変換して出力し、
前記送信制御機器は、前記分離機器から提供された前記送信データを、所定の変調方式に従ってパルス信号に変調し、このパルス信号に従って前記LEDの点滅を制御する。
【００２１】
本発明の一側面の情報処理方法は、上述した本発明の一側面の情報処理装置（例えば図１の白色LED光源LCDプロジェクタ１１）の情報処理方法である。
【００２２】
以下、図面を参照して、本発明の実施の形態について説明する。
【００２３】
図１は、本発明が適用される情報処理システムの構成例を示している。
【００２４】
図１の例では、情報処理システムは、白色LED（Light Emitting Diode）光源LCD（Liquid Crystal Display）プロジェクタ１１、スクリーン１２、および、受信装置１３から構成されている。
【００２５】
白色LED光源LCDプロジェクタ１１は、その名称の如く、白色LED２５を光源として、LCD（透過型液晶）２６に表示された映像コンテンツをスクリーン１２に投射するプロジェクタである。
【００２６】
ここで、光源として、従来のようにUHPやXenonなどのライトバルブを採用せずに、LEDを採用した理由について説明する。
【００２７】
即ち、プロジェクタは、例えば映像コンテンツをスクリーンに投影させることができるが、かかる投影のためには光源が必要である。
【００２８】
一方、上述したように、このスクリーン上に投影された映像コンテンツを視聴中のユーザに対して、その映像コンテンツの視聴を邪魔すること無く、それとは別の情報を提供したいという要望が存在するが、現状、かかる要望に十分に応えられていない状況である。
【００２９】
そこで、本発明人は、かかる要望に応え得る手法について検討したところ、プロジェクタの光源としてLEDを採用すればよいことを想到した。
【００３０】
即ち、従来、プロジェクタの光源としては、UHPやXenonなどのライトバルブが採用されていた。ところが、近年、LEDは、発光効率が向上し、プロジェクタの光源として採用できるレベルのものとなってきた。そこで、LEDを光源とするプロジェクタの可能性を考えるに、UHPやXenonなどのライトバルブを光源とする従来のプロジェクタと比較すると、小型軽量でかつ安価に実現できる可能性が高い。特に、図１の例のように白色LED２５を採用することにより、高画質／大画面のプロジェクタを設計できる可能性が高い。このことは、LEDは、現在の液晶やプラズマなどのFPDに比べても価格性能比に優れるため、LEDを光源とするプロジェクタは、「安価で高画質なホームシアター」用のプロジェクタとして急速に家庭に普及する可能性があることを意味している。
【００３１】
さらにまた、UHPやXenonなどのライトバルブには存在しないLEDの特徴のひとつとして、視聴者の目に反映させないレベルでの高速点滅（例えば１秒間に４桁を超える回数の点滅）ができる、という特徴が存在する。即ち、人間の目にとっては、LEDの点滅は高速すぎるために視認できない、という特徴がLEDには存在する。
【００３２】
そこで、本発明人は、かかる特徴に着目して、LEDを、プロジェクタの光源として機能させると同時に、可視光無線通信として機能させることを想到した。即ち、LEDに、映像コンテンツの投影のための光源としての機能と同時に、その映像コンテンツを視聴中の視聴者に対して、それとは別の情報を可視光無線通信により送信させる機能（以下、かかる機能により送信される別の情報を、送信情報と称する）を発揮させることで、その映像コンテンツの視聴を邪魔すること無く送信情報を視聴者に提供できるようになる、と本発明人は思想した。
【００３３】
なお、従来のUHPやXenonなどのライトバルブでは高速点滅ができないので、プロジェクタの光源を可視光無線通信に活用することについては不可能であり、そもそも、プロジェクタの光源を通信に活用しようという発想自体すら存在していなかった。
【００３４】
また、従来の無線通信として赤外線通信が存在し、この赤外線と、LEDによる可視光とは、何れも数100[THz]帯という周波数で性質が似ている。しかしながら、赤外線は不可視光であるため、プロジェクタの光源として採用することはできない。また、赤外線通信は目の保護の点から高い電力を送信できず、通信速度を向上することが出来ない。これに対して、LEDを用いた可視光無線通信で使われる可視光域は人間の目に安全であり、かつ、プロジェクタの光源に使用可能な数十ワットという高い電力が使用可能なため、高速度でデータを送信することが可能となる。即ち、上述したように、LEDを高速に点滅させても、人間の目はその点滅自体は認識できずに安全であり、さらに、高速に点滅させればさせるほど、データの通信速度は速くなることになる。例えば、１秒間に数百万回LEDを点滅させることは、数10［Mbps］の通信速度を実現できることを意味する。
【００３５】
このように、図１の例の白色LED光源LCDプロジェクタ１１は、白色LED２５を光源としているため、LCD２６による映像コンテンツをスクリーン１２に投影するプロジェクタとして機能すると同時に、その白色LED２５を高速に点滅させることによって、可視光無線通信により送信情報を送信する通信装置としても機能する。
【００３６】
白色LED光源LCDプロジェクタ１１が通信装置として機能している場合に、その可視光無線通信による送信情報、即ち、スクリーン１２に投影されている映像コンテンツとは別の情報を受信する通信装置が、受信装置１３である。
【００３７】
なお、ここでいう別の情報とは、スクリーン１２に投影されている映像コンテンツそのものではない情報である、という以上の意味を有せず、その内容もその形態も特に限定されない。即ち、送信情報として、別の映像コンテンツ（スクリーン１２に投影されている映像コンテンツの一部分や、その映像コンテンツが変速再生や画質変更再生等されているものも含む）を採用してもよいし、後述するように、スクリーン１２に投影されている映像コンテンツに関連する情報を採用してもよい。即ち、送信情報は、スクリーン１２に投影されている映像コンテンツそのものとは独立して取り扱える情報であれば足りる。
【００３８】
このように、受信装置１３が、スクリーン１２上の映像コンテンツを視聴している視聴者に対して、送信情報を提示する装置となる。そこで、受信装置１３は、例えば送信情報が音声や画像の形態で提示できる場合には、図１の例のようにPDA（Personal Digital Assistant）や携帯電話機等で構成することができる。
【００３９】
ただし、受信装置１３は、スクリーン１２に投射された光（映像コンテンツをスクリーン１２に形成させている光）を受光可能なフォトカプラを有していれば足り、その形態は特に限定されない。また、フォトカプラ自体の構成も特に限定されず、例えば、CCD（Charged Coupled Device）やCMOS（Complementary Metal Oxide Semiconductor）等を採用することができる。
【００４０】
また、受信装置１３は、図１の例では１台とされているが、スクリーン１２に投影された映像コンテンツを視聴する視聴者は１人とは限らないので、当然ながら複数台存在してもよい。
【００４１】
以下、白色LED光源LCDプロジェクタ１１についてさらに詳しく説明する。
【００４２】
図１に示されるように、白色LED光源LCDプロジェクタ１１は、ネットワーク受信部２１、信号分離部２２、圧縮映像伸張部２３、信号変調部２４、白色LED２５、LCD２６、およびレンズ２７を含むように構成されている。
【００４３】
このような構成の白色LED光源LCDプロジェクタ１１の動作は、次の通りとなる。
【００４４】
図１の例では、映像コンテンツ（データ）と送信情報（データ）とを含む信号（以下、送信情報重畳映像信号と称する）は、例えばインターネット放送で配信された信号とされ、Ethernet（登録商標）３１経由で、白色LED光源LCDプロジェクタ１１に提供される。具体的には、かかる信号は、ネットワーク受信部２１において受信され、信号分離部２２に提供される。
【００４５】
なお、インターネット放送のプロトコルは、有線とは限らず、無線の場合もある。この場合、送信情報重畳映像信号は、Ethernet（登録商標）３１経由ではなく、いわゆる無線IP通信により、ネットワーク受信部２１に提供される。
【００４６】
また、送信情報重畳映像信号の伝送形態は、図１の例に特に限定されず、光ディスク等の記録媒体を介した伝送でもよいし、放送波による伝送でもよい。
【００４７】
信号分離部２２は、ネットワーク受信部２１からの送信情報重畳映像信号を、映像コンテンツ（データ）と送信情報（データ）とにそれぞれ分離し、映像コンテンツ（データ）を圧縮映像伸張部２３に提供する一方、送信情報（データ）を信号変調部２４に提供する。
【００４８】
ここで、映像コンテンツ（データ）は、所定の圧縮符号化方式、例えばMPEG （Moving Picture Experts Group）方式等に従って圧縮符号化されているとする。そこで、圧縮映像伸張部２３は、信号分離部２２からの映像コンテンツ（データ）を、その所定の圧縮符号化方式に対応する方式（ここではMPEG方式）に従って伸張復号する。その結果得られる映像信号に対応する映像コンテンツがLCD２６に表示される。
【００４９】
換言すると、圧縮映像伸張部２３は、信号分離部２２から提供された映像コンテンツの形態を、LCD２６に適合する形態の信号に変換して出力する映像出力機器の一例である。即ち、映像出力機器として、図１の例では、映像コンテンツがMPEGデータの形態で提供されるがゆえ、圧縮映像伸張部２３が採用されているのであり、映像コンテンツの提供形態によっては別の機器を採用してもよい。例えば、後述する図４の例では、映像コンテンツが放送波の形態で提供されているので、映像出力機器としてチューナ部３２１が採用されているのである。
【００５０】
いずれにしても、本発明では、映像出力機器（図１の例では圧縮映像伸張部２３）からの映像コンテンツを映像素子（図１の例ではLCD２６）に表示させる場合の光源として、本発明ではLED（図１の例では白色LED２５）が使用される。より詳細には、図１の例では、LED２５から出力される光パルス信号（光パルス信号については後述する）が光源として使用され、LCD２６とレンズ２７を通過してスクリーン１２に照射されることで、LCD２６に表示された映像コンテンツがスクリーン１２に投影されるのである。
【００５１】
このようにして、LCD２６に表示された映像コンテンツがスクリーン１２に投影されている最中、即ち、受信装置１３を保有する視聴者が、スクリーン１２上の映像コンテンツを視聴している最中、次のような可視光無線通信が行われて、送信情報（データ）が受信装置１３に受信され、視聴者に提示される。
【００５２】
即ち、信号変調部２４は、信号分離部２２からの送信情報（データ）を、所定の変調方式に従って、パルス信号に変調する。白色LED２５では、このパルス信号に従って、点灯状態（オン状態）と消灯状態（オフ状態）とのスイッチングが行われる。即ち、白色LED２５は、このパルス信号に従って高速点滅し、その結果、発光点滅信号（光パルス信号）が出力される。即ち、この光パルス信号が、上述したように、LCD２６に映像コンテンツを表示するための光源として使用されるとともに、送信情報（データ）についての変調信号として送信されるのである。
【００５３】
そこで、例えば視聴者は、受信装置１３の受光部（フォトカプラ）をスクリーン１２に向けると、受信装置１３は、白色LED２５から発せられる光パルス信号を受信することが可能となる。そして、受信装置１３は、受信した光パルス信号を復調することで、送信情報を取り出して、視聴者に提示する。なお、提示の形態は、送信情報のデータの形態に応じた形態であれば特に限定されない。例えば送信情報が映像データ（動画または静止画データ）の場合には、受信装置１３は、その映像を表示する。例えば送信情報が音声データの場合には、受信装置１３は、その音声を出力する。また、例えば送信情報がテキストデータの場合には、受信装置１３は、そのテキストを画像として表示してもよいし、音声（メッセージ）として出力してもよい。
【００５４】
換言すると、信号変調部２４が、映像コンテンツとは異なる情報を送信情報として取得し（図１の例では、信号分離部２２において分離された送信情報（データ）を取得し）、その送信情報に基づいて白色LED２５の点滅を制御することで、LCD２６に映像コンテンツを形成させている光を受光する受信装置１３（図１の例ではスクリーン１２を介して受光する受信装置１３）に対して、その送信情報を送信する送信制御機器の一例である。
【００５５】
以上、図１を参照して、本発明を、フロント投影型プロジェクタに適用した例について説明した。しかしながら、本発明は、図１の例に限定されず、様々な実施の形態を取ることが可能である。
【００５６】
具体的には例えば、図２は、リア投影型プロジェクタに本発明を適用した場合の情報処理システムの構成例を示している。
【００５７】
図２の例では、情報処理システムは、白色LED光源LCDプロジェクタ１１１、スクリーン１１２、および、受信装置１３から構成されている。
【００５８】
図２の白色LED光源LCDプロジェクタ１１１は、図１の白色LED光源LCDプロジェクタ１１と基本的に同様の機能と構成を有している。即ち、図２のネットワーク受信部１２１乃至レンズ１２７のそれぞれは、図１のネットワーク受信部２１乃至レンズ２７のそれぞれに対応する。
【００５９】
ただし、図１の白色LED光源LCDプロジェクタ１１は、スクリーン１２の表面（視聴者にとっての視聴面）に映像コンテンツを投影するのに対して、図２の白色LED光源LCDプロジェクタ１１１は、スクリーン１１２の裏面（視聴者にとっての視聴面とは逆の面）に映像コンテンツを投影する。
【００６０】
この場合、図２の白色LED光源LCDプロジェクタ１１１とスクリーン１１２とから、例えば、いわゆるリアプロジェクションテレビジョン受像機等を構成することができる。
【００６１】
また例えば、図３は、LED光源をバックライトとして利用するLCDパネルに本発明を適用した場合の情報処理システムの構成例を示している。
【００６２】
図３の例では、情報処理システムは、送信装置２１１、光源拡散板２１２、LCDパネル２１３、および受信装置１３から構成されている。
【００６３】
図３の送信装置２１１は、図１の白色LED光源LCDプロジェクタ１１のうちのLCD２６とレンズ２７とを除いた部分と基本的に同様の機能と構成を有している。即ち、図３のネットワーク受信部２２１乃至白色LED２２５のそれぞれは、図１のネットワーク受信部２１乃至白色LED２５のそれぞれに対応する。
【００６４】
この場合、図３の送信装置２１１、光源拡散板２１２、およびLCDパネル２１３から、例えば液晶パーソナルコンピュータや液晶テレビジョン受像機等を構成することもできる。
【００６５】
また、LED光源による可視光無線通信の伝送対象となる送信情報（データ）は、上述した各種例では、映像コンテンツ（データ）に重畳されて提供されたが、映像コンテンツ（データ）と分離して提供されてもよい。
【００６６】
この場合、本発明が適用される情報処理システムは、例えば図４に示されるように構成することができる。
【００６７】
図４の例では、情報処理システムは、白色LED光源LCDプロジェクタ３１１、スクリーン１２、および、受信装置１３から構成されている。
【００６８】
白色LED光源LCDプロジェクタ３１１は、チューナ部３２１乃至レンズ３２６を含むように構成されている。
【００６９】
このような構成の白色LED光源LCDプロジェクタ３１１の動作は、次の通りとなる。
【００７０】
図４の例では、映像コンテンツは、地上波テレビジョン放送や衛星テレビジョン放送による放送波の形態で、白色LED光源LCDプロジェクタ３１１に提供されるとする。これに対して、送信情報（データ）は、インターネットおよびEthernet（登録商標）３１経由で、白色LED光源LCDプロジェクタ３１１に提供されるとする。
【００７１】
チューナ部３２１は、放送波の形態で提供される映像コンテンツを受信し、LCD３２５に適した形態の信号に変換して、即ち、図１の圧縮映像伸張部２３の出力信号と同様の形態に変換して出力する。すると、この出力信号に対応する映像、即ち映像コンテンツがLCD３２５に表示される。この光源として、白色LED３２４から出力される光パルス信号が使用され、LCD３２５とレンズ３２６を通過してスクリーン１２に照射されることで、LCD３２５に表示された映像コンテンツがスクリーン１２に投影されるのである。
【００７２】
このようにして、LCD３２５に表示された映像コンテンツがスクリーン１２に投影されている最中、即ち、受信装置１３を保有する視聴者が、スクリーン１２上の映像コンテンツを視聴している最中、次のような可視光無線通信が行われて、送信情報（データ）が受信装置１３に受信され、視聴者に提示される。
【００７３】
即ち、Ethernet（登録商標）３１経由で提供されてきた送信情報（データ）は、ネットワーク受信部３２２に受信されて、信号変調部３２３に提供される。信号変調部３２３は、この送信情報（データ）を、所定の変調方式に従って、パルス信号に変調する。白色LED３２４では、このパルス信号に従って、点灯状態（オン状態）と消灯状態（オフ状態）とのスイッチングが行われる。即ち、白色LED３２４は、このパルス信号に従って高速点滅し、その結果、発光点滅信号（光パルス信号）が出力される。即ち、この光パルス信号が、上述したように、LCD３２５に映像を表示するための光源として使用されるとともに、送信情報（データ）についての変調信号として送信されるのである。
【００７４】
そこで、例えば視聴者は受信装置１３の受光部（フォトカプラ）をスクリーン１２に向けると、受信装置１３は、白色LED３２４から発せられる光パルス信号を受信することが可能となる。そして、受信装置１３は、受信した光パルス信号を復調することで、送信情報を取り出して、視聴者に提示する。
【００７５】
さらに、例えば本発明を、映画館でのデジタルシネマ上映に適用することで、映画の内容と連動した広告配信やインターネット通信販売などと連動した情報を配信することができ、ひいては、映画上映中に物品販売を行うことなども実現可能となる。即ち、映像コンテンツとして映画が採用されている場合には、送信情報として、例えばその映画に関連する情報、具体的には例えば、広告配信やインターネット通信販売などの情報を採用することができ、これにより、様々な新たなビジネスの誕生を想像するのは難くない。
【００７６】
なお、本明細書において、システムとは、複数の装置や処理部により構成される装置全体を表すものである。
【図面の簡単な説明】
【００７７】
【図１】本発明が適用される情報処理システムの構成の第１の例を示す図である。
【図２】本発明が適用される情報処理システムの構成の第２の例を示す図である。
【図３】本発明が適用される情報処理システムの構成の第３の例を示す図である。
【図４】本発明が適用される情報処理システムの構成の第４の例を示す図である。
【符号の説明】
【００７８】
１１  白色LED光源LCDプロジェクタ，  １２  スクリーン，  １３  携帯端末，  ２１  ネットワーク受信部，  ２２  信号分離部，  ２３  圧縮映像伸張部，  ２４  信号変調部，  ２５  白色LED，  ２６  LCD，  ２７  レンズ，  １１１  白色LED光源LCDプロジェクタ，  １１２  スクリーン，  １２１  ネットワーク受信部，  １２２  信号分離部，  １２３  圧縮映像伸張部，  １２４  信号変調部，  １２５  白色LED，  １２６  LCD，  １２７  レンズ，  ２１１  送信装置，  ２１２  光源拡散板，  ２１３  LCDパネル，  ２２１  ネットワーク受信部，  ２２２  信号分離部，  ２２３  圧縮映像伸張部，  ２２４  信号変調部，  ３１１  白色LED光源LCDプロジェクタ，  ３２１  チューナ，  ３２２  ネットワーク受信部，  ３２３  信号変調部，  ３２４  白色LED，  ３２５  LCD，  ３２６  レンズ
【図１】
2008160238.tif 000003
【図２】
2008160238.tif 000004
【図３】
2008160238.tif 000005
【図４】
2008160238.tif 000006